(57)【要約】【課題】内容物の密封性を確保すると共に、飲用時の口当たり性を向上させた飲料用の紙カップとその製造方法を提供すること。【解決手段】胴部（１１）と底部（１２）とからなり開口部周縁が外側にカールしたカップリム部（１３）を有する紙カップ（１０）であって、胴部（１１）を構成する胴部材、底部（１２）を構成する底部材ともに、少なくとも内面側に熱可塑性樹脂層が積層された複合紙から構成され、カップリム部（１３）が上下方向より押圧されて偏平に形成されると共に、先端部（１４）は曲線を描いて下方に曲がって形成されている。【選択図】図１
2004042987.tif 000002
【特許請求の範囲】
【請求項１】
胴部と底部とからなり、開口部周縁が外側にカールしたカップリム部を有する紙カップであって、前記胴部を構成する胴部材、底部を構成する底部材ともに、少なくとも内面側に熱可塑性樹脂層が積層された複合紙から構成され、前記カップリム部が上下方向より押圧されて偏平に形成されると共に、先端部は曲線を描いて下方に曲がって形成されていることを特徴とする飲料用紙カップ。
【請求項２】
紙カップを作製後、超音波ホーンを用いて前記紙カップのカップリム部を偏平に押圧して融着させると同時に、カップリム部の先端部分を下方に曲げて成形することを特徴とする飲料用紙カップの製造方法。
【発明の詳細な説明】
【０００１】
【発明の属する技術分野】
本発明は、飲料用の紙カップとその製造方法に関するものである。
【０００２】
【従来の技術】
紙カップのカップリム部を超音波ホーンを用いて圧縮融着させて平らに形成させ、蓋材とのシール時の密封性を向上させることは良く知られている。
しかしながら、該紙カップをカップリム部に口を当てて、例えば、ジュースのような液体飲料を飲むような使い方をした場合には、口当たりが悪いため、そのような用途に使用させることは少ない。
【０００３】
また、上述のように平らに形成されたカップリム部を有する紙カップの開口部を蓋材で覆って密封シールした場合、カップリム部におけるシール幅（接着面積）が広くなることから開封する際に非常に強い力が必要になってくると共に、開封した際、カップリム部の先端が蓋材を開封する方向（上方）に捲れ上がってしまうなどして、口当たりの悪いものとなっていた。
【０００４】
【発明が解決しようとする課題】
本発明は、カップリム部を上下方向に押圧して偏平に形成させた紙カップに関する以上のような問題点を解決するためになされたもので、内容物の密封性を確保すると共に、飲用時の口当たり性を向上させた飲料用の紙カップとその製造方法を提供することを課題とする。
【０００５】
【課題を解決するための手段】
本発明の請求項１の発明は、胴部と底部とからなり、開口部周縁が外側にカールしたカップリム部を有する紙カップであって、前記胴部を構成する胴部材、底部を構成する底部材ともに、少なくとも内面側に熱可塑性樹脂層が積層された複合紙から構成され、前記カップリム部が上下方向より押圧されて偏平に形成されると共に、先端部は曲線を描いて下方に曲がって形成されていることを特徴とする飲料用紙カップである。
【０００６】
このように請求項１記載の発明によれば、胴部を構成する胴部材、底部を構成する底部材ともに、少なくとも内面側に熱可塑性樹脂層が積層された複合紙から構成され、カップリム部が上下方向より押圧されて偏平に形成されると共に、先端部分はあたかも帽子のつばの先端部分のように曲線を描いて下方に曲がって形成されているので、カップリム部の上側と下側は熱融着されて偏平に形成され、蓋材との密封性が確保できると同時に口当たり性も良い。
【０００７】
また、請求項２の発明は、紙カップを作製後、超音波ホーンを用いて前記紙カップのカップリム部を偏平に押圧して融着させると同時に、カップリム部の先端部分を下方に曲げて成形することを特徴とする飲料用紙カップの製造方法である。
【０００８】
このように請求項２記載の発明によれば、紙カップ作製後に、カップリム部を超音波ホーンを用いて押圧加工をしているので、無理なくカップリム部の曲げ加工ができる。
【０００９】
【発明の実施の形態】
本発明の飲料用紙カップを一実施形態に基づいて以下に詳細に説明する。
本発明の飲料用紙カップは、例えば、図１に示すように、胴部（１１）と底部（１２）とからなり、開口部周縁が外側にカールしたカップリム部（１３）を有する紙カップ（１０）であり、前記カップリム部（１３）が、上下方向より押圧されて偏平に形成されると共に、先端部（１４）は、曲線を描いて下方に曲げて形成されているものである。
【００１０】
紙カップ（１０）は、胴部（１１）を形成する胴部材、底部（１２）を形成する底部材ともに坪量が１７０〜３１０ｇ／ｍ２　程度のカップ原紙の片面、又は両面に低密度ポリエチレン樹脂を２０〜４０μｍ程度塗布したポリエチレン加工紙を使用して一般的な紙カップ成形機で作製することができる。
【００１１】
つぎにカップリム部（１３）を偏平にする押圧方法について説明する。
図２は、開口部周縁が外側にカールしたカップリム部（１３）を有する紙カップ（１０）を偏平加工するため、超音波ホーンの受け型にセットして偏平加工している状態を示す模式説明図である。
【００１２】
図２において、（５１）は超音波ホーンの受け型、（５２）は超音波ホーンを表す。
カップリム部（１３）がドーナツ状の凸部（Ｔ）を有する超音波ホーンの受け型（５１）およびドーナツ状の凸部を受ける凹部（Ｏ）を有する超音波ホーン（５２）にセットされる。
ついで、超音波ホーン（５２）が下方に下がり、カップリム部（５３）を圧縮すると共にホーンの発振熱によってカップリム部（１３）の上下を熱融着して偏平に成形すると同時に、カップリム部の先端部分（１４）は曲線を描いて下方に曲がって形成される。
【００１３】
図３は、このようにして作製した周縁部分のみが曲線を描くように下方に曲がってそれ以外の部分では偏平に加工されたカップリム部（１３）を有する紙カップ（１０）の開口部に蓋材（２０）を被せて熱シールした状態を示す説明図である。
【００１４】
図３から明らかなように、蓋材（２０）を剥がすとき、カップリム部（１３）が上に上がり難くなり、容易に、かつ、確実に蓋材を剥がすことが可能になる。
カップリム部（１３）に曲がりがあることで紙カップの保形性が向上する。
さらに、シール幅が狭くなるので、比較的力を加えなくとも蓋材を開封することが可能になる。
【００１５】
【発明の効果】
このように、本発明の飲料用紙カップはカップリム部の先端部が曲線を描いて下方に下がって形成されているので、従来のカップリム部を潰さない場合と同様の口当たりの良さを有し、かつ、内容物の密封性にも優れた飲料用の紙カップである。
【図面の簡単な説明】
【図１】本発明の飲料用紙カップの一実施例を示す、部分断面説明図である。
【図２】（ａ）はカップリム部を超音波ホーンの受け型にセットした状態の一実施例を示す、模式説明図であり、（ｂ）は超音波ホーンが下がってカップリム部を偏平に加工している状態の一実施例を示す、模式説明図である。
【図３】本発明の飲料用紙カップの開口部に蓋材を被せて密封シールした状態を示す、部分断面説明図である。
【符号の説明】
１０‥‥紙カップ
１１‥‥胴部
１２‥‥底部
１３‥‥カップリム部
１４‥‥カップリム部先端部
２０‥‥蓋材
５１‥‥超音波ホーンの受け型
５２‥‥超音波ホーン
Ｏ‥‥凹部
Ｔ‥‥凸部
【図１】
2004042987.tif 000003
【図２】
2004042987.tif 000004
【図３】
2004042987.tif 000005